(57)【要約】【課題】本発明では、ユーザが複数のイベントの中からいずれのイベントに参加するかを即断するのに有用なイベント情報を提供するよう構成されたイベント情報提供装置およびイベント情報提供方法を提供することを課題とする。【解決手段】上演劇場と上演日時と上演作品により映画上演を特定する映画上演情報を複数蓄積し、また、前記映画上演ごとにユーザからタイムリーなコメントを受付け、保存しておく。そして、ユーザから映画を鑑賞するのに適したエリアを特定するための情報の入力を受付けると、その情報を基に、映画を鑑賞するのに適したエリアを特定する。そして、そのエリア内に存在するすべての上演劇場を特定し、特定した上演劇場における各上演作品のタイムリーなコメントを抽出し、出力するよう構成されたイベント情報提供装置およびイベント情報提供方法などを提供する【選択図】          図３
2010128817.tif 000002
【特許請求の範囲】
【請求項１】
上演劇場、上演日時、上演作品によって映画上演を特定する情報である映画上演情報を蓄積する映画上演情報蓄積部と、
映画上演と関連付けてコメントを受信するコメント受信部と、
受信したコメントを、前記映画上演にかかる映画上演情報と関連付けて保存するコメント保存部と、
ユーザから送信される現在位置情報を取得する現在位置情報取得部と、
現在位置情報取得時の現在日時情報を取得する現在日時情報取得部と、
取得した現在位置情報と現在日時情報とに基づいて、ユーザが鑑賞可能な映画上演がある上演劇場の上演作品に関する映画上演情報を特定する映画上演情報特定部と、
映画上演情報特定部で特定した映画上演情報の中から、上演劇場と上演作品が同一の映画上演情報群ごとに最近上演終了した映画上演にかかる映画上演情報を特定し、特定した映画上演情報に関連付けて保存されているコメントをコメント保存部から抽出するコメント抽出部と、
抽出したコメントを出力するコメント出力部と、
を有するイベント情報提供装置。
【請求項２】
上演劇場、上演日時、上演作品によって映画上演を特定する情報である映画上演情報を蓄積する映画上演情報蓄積部と、
映画上演と関連付けてコメントを受信するコメント受信部と、
受信したコメントを、前記映画上演にかかる映画上演情報と関連付けて保存するコメント保存部と、
検索条件として、映画を鑑賞するのに適したエリアを特定するための鑑賞エリア特定情報の入力を受付ける鑑賞エリア特定情報受付部と、
入力を受付けた検索条件に合致する映画上演情報を特定する映画上演情報特定部と、
映画上演情報特定部で特定した映画上演情報の中から、上演劇場と上演作品が同一の映画上演情報群ごとに最近上演終了した映画上演にかかる映画上演情報を特定し、特定した映画上演情報に関連付けて保存されているコメントをコメント保存部から抽出するコメント抽出部と、
抽出したコメントを出力するコメント出力部と、
を有するイベント情報提供装置。
【請求項３】
検索条件として、映画を鑑賞したい日時を示す鑑賞日時情報の入力を受付ける鑑賞日時情報受付部をさらに有する請求項２に記載のイベント情報提供装置。
【請求項４】
検索条件として、映画を鑑賞するのに適したエリアへ移動を開始する場所及び日時を特定するための移動開始情報の入力を受付ける移動開始情報受付部をさらに有する請求項２または３に記載のイベント情報提供装置。
【請求項５】
前記映画に代えてイベントとした請求項１から４のいずれか一に記載のイベント情報提供装置。
【請求項６】
上演劇場、上演日時、上演作品によって映画上演を特定する情報である映画上演情報を蓄積するとともに、映画上演と関連付けて受信したコメントを前記映画上演にかかる映画上演情報と関連付けて保存するイベント情報提供装置のイベント情報提供方法であって、
ユーザから送信される現在位置情報を取得する現在位置情報取得ステップと、
現在位置情報取得時の現在日時情報を取得する現在日時情報取得ステップと、
取得した現在位置情報と現在日時情報とに基づいて、ユーザが鑑賞可能な映画上演がある上演劇場の上演作品に関する映画上演情報を特定する映画上演情報特定ステップと、
映画上演情報特定ステップで特定した映画上演情報の中から、上演劇場と上演作品が同一の映画上演情報群ごとに最近上演終了した映画上演にかかる映画上演情報を特定し、特定した映画上演情報に関連付けて保存されているコメントを抽出するコメント抽出ステップと、
抽出したコメントを出力するコメント出力ステップと、
を有するイベント情報提供方法。
【請求項７】
上演劇場、上演日時、上演作品によって映画上演を特定する情報である映画上演情報を蓄積するとともに、映画上演と関連付けて受信したコメントを前記映画上演にかかる映画上演情報と関連付けて保存するイベント情報提供装置のイベント情報提供方法であって、
検索条件として、映画を鑑賞するのに適したエリアを特定するための鑑賞エリア特定情報の入力を受付ける鑑賞エリア特定情報受付ステップと、
入力を受付けた検索条件に合致する映画上演情報特定する映画上演情報特定ステップと、
映画上演情報特定ステップで特定した映画上演情報の中から、上演劇場と上演作品が同一の映画上演情報群ごとに最近上演終了した映画上演にかかる映画上演情報を特定し、特定した映画上演情報に関連付けて保存されているコメントを抽出するコメント抽出ステップと、
抽出したコメントを出力するコメント出力ステップと、
を有するイベント情報提供方法。
【発明の詳細な説明】
【技術分野】
【０００１】
本発明は、映画の鑑賞を希望しているユーザに対し、いずれの劇場で、いずれの作品を鑑賞するかの決断を容易に導くための情報を提供する機能を有するイベント情報提供装置およびイベント情報提供方法に関する。また、イベントへの参加を希望しているユーザに対し、いずれのイベント会場で、いずれの内容のイベントに参加するかの決断を容易に導くための情報を提供する機能を有するイベント情報提供装置およびイベント情報提供方法に関する。
【背景技術】
【０００２】
近年、インターネットを介して映画、ライブ、コンサート、ミュージカル、展示会、などの様々なイベント情報が提供されている。前記イベント情報の内容としては、例えば、現在上演されている作品の「上演作品名」、「上演作品内容」、「上演作品の予告版動画」、「出演者名」、「上演スケジュール」、「上演される劇場の住所」、「各劇場に関する情報」、「料金」、「近々上演される作品の予告情報」、「各作品に対する口コミ情報」、「各作品に対する著名人のコメント」、「各作品に対する出演者のコメント」など、非常に多岐に渡っている。
【０００３】
ユーザは、様々な状況で、ＰＣや携帯端末装置などを利用して前記のようなイベント情報を取得し、自己の活動に活用している。例えば、ＴＶや雑誌などから情報を取得し、興味を持ったイベントがある場合には、インターネットを介して詳細なイベント情報を取得し、そのイベントの内容などを十分に考慮して参加するか否か決定したりする。または、外出先などにおいてたまたま時間が空いた時に、その時間・その場所で都合良く参加可能なイベントを検索するためイベント情報を取得し、複数の候補の中から参加するイベントを決定したりする。
【０００４】
しかしながら、従来インターネットを介して提供されているイベント情報は、情報量が多すぎたり、逆に少なすぎたりするため、ユーザが複数のイベントの中からいずれのイベントに参加するかを即断するのには適していなかった。すなわち、たまたま予定が空いた時間を利用して何らかのイベントへの参加を希望しているようなユーザが、「いずれのイベントに参加するか」を決断するために利用する情報としては適していなかった。
【０００５】
そこで、前記問題に鑑み、ユーザが複数のイベントの中からいずれのイベントに参加するかを即断するのに適したイベント情報を提供するイベント情報提供装置およびイベント情報提供方法が望まれる。
【０００６】
ここで、特許文献１に、イベント情報をユーザに提供可能に構成された携帯型情報端末装置が記載されている。当該携帯型情報端末装置は、ＧＰＳなどを利用してユーザの現在位置情報を取得すると、その位置の周辺地図データを取得し、ディスプレイなどを介してユーザに提供する。そして、ディスプレイに表示した地図情報の中から任意の施設の選択を受付けると、その施設に関する情報（「イベントの内容」、など）を取得し、ディスプレイなどを介してユーザに提供するよう構成されている。
【０００７】
確かに、特許文献１に記載の携帯型情報端末装置により、ユーザは、適当な量の情報を基に、参加するイベントを決定することが可能となる。しかしながら、特許文献１に記載の携帯型情報端末装置により提供される情報は、「イベントが行われる場所」、「周辺地図」、「イベントの内容」、など、時間経過に関わらず不変の情報だけである。すなわち、いつ検索しても提供される情報はほとんど同じ内容であり、その日のそのイベントの混雑具合や、その日のイベント出演者のテンションの良し悪し、その日のイベント会場の様子など、その日に参加するイベントを検索しているユーザなどにとって非常に有用な情報になると考えられるタイムリーな情報を提供可能には構成されていない。
【特許文献１】特開２００１−３０６５７４
【発明の開示】
【発明が解決しようとする課題】
【０００８】
そこで、本発明では、ユーザが複数のイベントの中からいずれのイベントに参加するかを即断するのに有用なイベント情報を提供するよう構成されたイベント情報提供装置およびイベント情報提供方法を提供することを課題とする。
【課題を解決するための手段】
【０００９】
上記課題を解決するための手段として、以下のような発明などを提供する。
【００１０】
第一発明では、上演劇場、上演日時、上演作品によって映画上演を特定する情報である映画上演情報を蓄積する映画上演情報蓄積部と、映画上演と関連付けてコメントを受信するコメント受信部と、受信したコメントを、前記映画上演にかかる映画上演情報と関連付けて保存するコメント保存部と、ユーザから送信される現在位置情報を取得する現在位置情報取得部と、現在位置情報取得時の現在日時情報を取得する現在日時情報取得部と、取得した現在位置情報と現在日時情報とに基づいて、ユーザが鑑賞可能な映画上演がある上演劇場の上演作品に関する映画上演情報を特定する映画上演情報特定部と、映画上演情報特定部で特定した映画上演情報の中から、上演劇場と上演作品が同一の映画上演情報群ごとに最近上演終了した映画上演にかかる映画上演情報を特定し、特定した映画上演情報に関連付けて保存されているコメントをコメント保存部から抽出するコメント抽出部と、抽出したコメントを出力するコメント出力部と、を有するイベント情報提供装置を提供する。
【００１１】
第二発明では、上演劇場、上演日時、上演作品によって映画上演を特定する情報である映画上演情報を蓄積する映画上演情報蓄積部と、映画上演と関連付けてコメントを受信するコメント受信部と、受信したコメントを、前記映画上演にかかる映画上演情報と関連付けて保存するコメント保存部と、検索条件として、映画を鑑賞するのに適したエリアを特定するための鑑賞エリア特定情報の入力を受付ける鑑賞エリア特定情報受付部と、入力を受付けた検索条件に合致する映画上演情報を特定する映画上演情報特定部と、映画上演情報特定部で特定した映画上演情報の中から、上演劇場と上演作品が同一の映画上演情報群ごとに最近上演終了した映画上演にかかる映画上演情報を特定し、特定した映画上演情報に関連付けて保存されているコメントをコメント保存部から抽出するコメント抽出部と、抽出したコメントを出力するコメント出力部と、を有するイベント情報提供装置を提供する。
【００１２】
第三発明では、第二発明を基本とし、さらに、検索条件として、映画を鑑賞したい日時を示す鑑賞日時情報の入力を受付ける鑑賞日時情報受付部を有するイベント情報提供装置を提供する。
【００１３】
第四発明では、第二発明または第三発明を基本とし、さらに、検索条件として、映画を鑑賞するのに適したエリアへ移動を開始する場所及び日時を特定するための移動開始情報の入力を受付ける移動開始情報受付部を有するイベント情報提供装置を提供する。
【００１４】
第五発明では、前記映画に代えてイベントとした第一発明から第四三発明のいずれか一に記載のイベント情報提供装置を提供する。
【００１５】
第六発明では、上演劇場、上演日時、上演作品によって映画上演を特定する情報である映画上演情報を蓄積するとともに、映画上演と関連付けて受信したコメントを前記映画上演にかかる映画上演情報と関連付けて保存するイベント情報提供装置のイベント情報提供方法であって、ユーザから送信される現在位置情報を取得する現在位置情報取得ステップと、現在位置情報取得時の現在日時情報を取得する現在日時情報取得ステップと、取得した現在位置情報と現在日時情報とに基づいて、ユーザが鑑賞可能な映画上演がある上演劇場の上演作品に関する映画上演情報を特定する映画上演情報特定ステップと、映画上演情報特定ステップで特定した映画上演情報の中から、上演劇場と上演作品が同一の映画上演情報群ごとに最近上演終了した映画上演にかかる映画上演情報を特定し、特定した映画上演情報に関連付けて保存されているコメントを抽出するコメント抽出ステップと、抽出したコメントを出力するコメント出力ステップと、を有するイベント情報提供方法を提供する。
【００１６】
第七発明では、上演劇場、上演日時、上演作品によって映画上演を特定する情報である映画上演情報を蓄積するとともに、映画上演と関連付けて受信したコメントを前記映画上演にかかる映画上演情報と関連付けて保存するイベント情報提供装置のイベント情報提供方法であって、検索条件として、映画を鑑賞するのに適したエリアを特定するための鑑賞エリア特定情報の入力を受付ける鑑賞エリア特定情報受付ステップと、入力を受付けた検索条件に合致する映画上演情報特定する映画上演情報特定ステップと、映画上演情報特定ステップで特定した映画上演情報の中から、上演劇場と上演作品が同一の映画上演情報群ごとに最近上演終了した映画上演にかかる映画上演情報を特定し、特定した映画上演情報に関連付けて保存されているコメントを抽出するコメント抽出ステップと、抽出したコメントを出力するコメント出力ステップと、を有するイベント情報提供方法を提供する。
【発明の効果】
【００１７】
本発明のイベント情報提供装置およびイベント情報提供方法により、ユーザは、複数のイベントの中からいずれのイベントに参加するかを、有用な判断資料を利用して、即断することが可能となる。
【発明を実施するための最良の形態】
【００１８】
以下に、本発明の実施例を説明する。実施例と請求項の相互の関係は、以下のとおりである。実施形態１は主に請求項２、７などに関し、実施形態２、４は主に請求項３などに関し、実施形態３は主に請求項４などに関し、実施形態５は主に請求項１、６などに関し、実施形態６は主に請求項５などに関する。なお、本発明はこれら実施例に何ら限定されるものではなく、その要旨を逸脱しない範囲内において、様々な態様で実施しうる。
<<実施形態１>>
<実施形態１の概要>
【００１９】
例えば、図１に示すように、（１）待ち合わせまで時間があるのでその時間を利用して映画を鑑賞しようと思いついたユーザがいたとする。かかる場合、（２）携帯端末装置を利用して本実施形態のイベント情報提供装置と通信し、映画を鑑賞するのに適したエリアを特定するための鑑賞エリア特定情報を入力して映画検索を行うと、（３）例えば、図２に示すような、前記鑑賞エリア特定情報で特定される映画を鑑賞するのに適したエリア内に存在する上演劇場の上演作品ごとに、他のユーザが入力したタイムリーなコメントを参照可能なインターフェイスが提供される。
【００２０】
（４）映画検索しているユーザは、図２に示すようなインターフェイスから、各上演劇場での上演作品ごとにタイムリーなコメントを参照し、その日の混雑具合やその日の劇場の雰囲気などのタイムリーな情報を取得して、実際に映画鑑賞する上演劇場および上演作品を即断することができる。なお、図２のインターフェイスにおいては、各上演劇場での上演作品ごとのタイムリーなコメントの他、各劇場周辺の地図や行き方（経路）、上演スケジュールや作品内容などの情報も提供可能に構成されているが、これらは本実施形態においては必須のものではなく、このように構成するかは任意の設計事項である。
<実施形態１の機能的構成>
【００２１】
本実施形態のイベント情報提供装置の機能ブロックの一例を図３に示す。図３に示すように、本実施形態の「イベント情報提供装置」（０３００）は、「映画上演情報蓄積部」（０３０１）と、「コメント受信部」（０３０２）と、「コメント保存部」（０３０３）と、「鑑賞エリア特定情報受付部」（０３０４）と、「映画上演情報特定部」（０３０５）と、「コメント抽出部」（０３０６）と、「コメント出力部」（０３０７）を有する。
【００２２】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２３】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２４】
以下、本実施形態の「イベント情報提供装置」（０３００）の「映画上演情報蓄積部」（０３０１）と「コメント受信部」（０３０２）と「コメント保存部」（０３０３）と「鑑賞エリア特定情報受付部」（０３０４）と「映画上演情報特定部」（０３０５）と「コメント抽出部」（０３０６）と「コメント出力部」（０３０７）の機能的構成について詳細に説明する。
【００２５】
「イベント情報提供装置」（０３００）は、ＰＣや携帯端末装置などと無線または有線の通信を行い、データを送受信することができるように構成されている。例えば、インターネットを介してＰＣや携帯端末装置などと通信してもよいし、または、赤外線通信やＢｌｕｅｔｏｏｔｈ通信などの手段を利用して携帯端末装置と通信してもよい。赤外線通信やＢｌｕｅｔｏｏｔｈ通信などの手段を利用する場合は、本実施形態のイベント情報提供装置（０４００）は、街角、コンビニの店内、駅構内、など、ユーザが利用しやすい場所に設置されてもよい。
【００２６】
「映画上演情報蓄積部」（０３０１）は、上演劇場、上演日時、上演作品によって映画上演を特定する情報である映画上演情報を蓄積するよう構成されている。「映画上演」とは、映画の上演のことであり、ある上演劇場でのある日のある時間のある作品の上演を、一つの映画上演とする。すなわち、例えば、「２００８年１月１日９時〜１０時５２分に銀座シネマ堂で上演される「ボンジュール」」が一つの映画上演であり、「２００８年１月１日１２時〜１３時５２分に銀座シネマ堂で上演される「ボンジュール」」は、前記映画上演とは別の映画上演である。また、「映画上演情報」とは、一つの映画上演を特定するための情報であって、上演劇場を特定する情報と、上演作品を特定する情報と、上演日時を特定する情報を関連付けた情報である。
【００２７】
参考までに、図４に、映画上演情報を蓄積したテーブルの一例を模式的に示す。なお、図４においては、上演劇場を特定するための情報として、「劇場名」、「住所」、「代表点（緯度、経度）」、を記載している。しかし、これはあくまで一例であり、前記項目すべてを備えることを必須とするものではないし、また、他の項目を備えてもよい。
【００２８】
「コメント受信部」（０３０２）は、映画上演と関連付けてコメントを受信するよう構成されている。「映画上演」の概念については、前記と同様である。
【００２９】
ここで、コメント受信部が（０３０２）、「映画上演と関連付けてコメントを受信する手段」としては特段制限されず、例えば、映画鑑賞者から、一つの映画上演を特定する情報（上演劇場、上演日時、上演作品）と、その映画上演に対するコメントを、メール、電話、ＦＡＸなどで受信してもよい。または、上演劇場の待合室や出入口などに、コメント受信部（０３０２）と無線または有線での通信可能に構成されたコメント取得装置を設置しておき、コメント取得装置が赤外線通信やＢｌｕｅｔｏｏｔｈ通信などの手段を利用して映画鑑賞者の携帯端末装置から取得した映画上演と関連付けたコメントを、インターネットを介して受信するなどしてもよい。または、前記コメント取得装置に設けられたディスプレイに、映画上演と関連付けたコメント入力のためのインターフェイスを出力し、コメント取得装置に設けられた操作ボタンの操作やタッチパネル入力、またはコメント取得装置に設けられたマイクを介しての音声入力などにより、映画鑑賞者から取得した映画上演と関連付けたコメントを、インターネットを介して受信するなどしてもよい。
【００３０】
さらには、コメント受信部（０３０２）は、インターネット経由でコメントを受信するためのインターフェイスデータを映画鑑賞者の携帯端末装置やＰＣなどに送信し、当該インターフェイスから映画上演と関連付けたコメントを受信するようにしてもよい。前記インターフェイスとしては特段制限されず、例えば、図５に示すようなものであってもよい。図５のインターフェイスは携帯端末装置など画面が比較的小さい機器への出力を想定しており、ある劇場（図の場合、「銀座シネマ堂」）で上演されるある作品（図の場合、「ボンジュール」）の上演スケジュールを表示するとともに、それぞれの映画上演ごとにコメント入力のための選択操作ができるようになっている。そして、コメント入力の選択操作を受付けると、例えば、図６のようなインターフェイスを出力し、その映画上演に対するコメントの入力を導いてもよい。なお、コメント入力画面においては、図６に示すように、取得したいコメント内容の入力を導くように、質問文（「混んでた？」、「劇場の雰囲気はどうだった？」、など）を表示しておいてもよい。このようにすることで、他のユーザが映画鑑賞する上演劇場、上演作品を判断する上で、有用な情報となるコメントを取得することが可能となる。
【００３１】
その他のインターフェイスとしては、図７のようなものであってもよい。図７のインターフェイスはＰＣや前記コメント取得装置など、画面が比較的大きい機器への出力を想定している。以下、図７のインターフェイスについて説明する。
【００３２】
図７のインターフェイスは、０７０１で示す領域に「映画鑑賞を希望する場所」、「日時」、「その他キーワード」の入力インターフェイスを表示し、プルダウン式または直接入力により、映画鑑賞したい場所、日時、などの入力を受付けるよう構成されている。そして、場所条件と日時条件の入力を受付けると、入力された場所条件で特定されるエリア内に存在する上演劇場を抽出し、抽出した上演劇場を０７０３で示す領域に一覧表示するとともに、一覧表示（０７０３）の中の一つの上演劇場の選択を受付けると、０７０４で示す領域に、その上演劇場の周辺地図を表示する。また、一覧表示（０７０３）されたすべての上演劇場における上演スケジュールを、０７０２で示す領域に一覧表示している。
【００３３】
０７０２で示す領域での一覧表示は、縦軸に上演作品の軸をとり、横軸に時間軸をとった表形式であり、入力を受付けた映画鑑賞したい日時の前後２時間の上演スケジュールを表示している。また、表内に記載された時間（「１６：４０」、「１６：１０」、など）は各上演作品の上演開始時間を示しており、それぞれの上演開始時間の横の四角内数字と、０７０３で示す領域に一覧表示された上演劇場の番号とが対応した数字となっている。なお、縦軸の上演作品軸における作品の配列順は、「人気順（興行収入順、など）」、「評価順（口コミ評価順、など）」、「五十音順」、「上演開始日の早い順」など、ソート機能が備わっていてもよい。また、横軸の時間軸は、スクロール移動できるようになっていてもよい。
【００３４】
コメント受信部（０３０２）は、図７のようなインターフェイスから、０７０２で示す領域に表示された表の中に記載された各上演劇場の各上演作品の上演開始時間の選択操作（「上演開始時間表示領域上にアイコンを位置させクリック操作」、「上演開始時間表示領域上をタッチ入力」、など）により、一つの映画上演を特定する入力を受付けると、その映画上演に関連付けたコメントの入力を導くためのインターフェイス（例、図６）を出力してもよい。そして、図６のようなインターフェイスから入力されたコメントを、映画上演と関連付けたコメントとして受信してもよい。なお、図７のインターフェイスは、以下で説明する「コメント出力部」（０３０８）によるコメント出力のためのインターフェイスとしても利用することができる。その詳細については以下で説明する。
【００３５】
「コメント保存部」（０３０３）は、受信したコメントを、前記映画上演にかかる映画上演情報と関連付けて保存するよう構成されている。すなわち、コメント保存部（０３０３）は、コメント受信部（０３０２）が受信した「映画上演と関連付けたコメント」を取得すると、その映画上演にかかる映画上演情報を識別し、そのコメントを関連付けて保存する。具体的には、「映画上演と関連付けたコメント」を取得すると、その映画上演にかかる映画上演情報のＩＤと、そのコメントを関連付けて保存してもよい。ここで、参考までに、図８に、コメント保存部（０３０３）が保存しているコメントの例を模式的に示す。なお、保存するコメントは、コメント受信部（０３０２）がコメントを受信した日時をも関連付けて保存してもよい。
【００３６】
「鑑賞エリア特定情報受付部」（０３０４）は、検索条件として、映画を鑑賞するのに適したエリアを特定するための鑑賞エリア特定情報の入力を受付けるよう構成されている。「鑑賞エリア特定情報」としては、例えば、「銀座」、「有楽町」、「六本木」、「渋谷」などのエリア名称であってもよいし、または、映画を鑑賞するのに適したエリアに存在する地下鉄・ＪＲなどの駅名や、目印となる建物・施設など（例、東京タワー、六本木ヒルズ）の名称であってもよい。または、具体的住所や郵便番号であってもよいし、緯度・経度で特定される地点の情報であってもよい。
【００３７】
鑑賞エリア特定情報の入力の受付は、例えば、入力のためのインターフェイスを、ユーザのＰＣや携帯端末装置に出力し、当該インターフェイスから、プルダウン選択や直接入力などの手段により入力を受付けることで実現してもよい（図７、０７０１など）。または、携帯端末装置に出力する鑑賞エリア特定情報入力のためのインターフェイスに、「現在位置情報入力ボタン」を設けておき、そのボタンの選択入力を受付けると、それをトリガに、ＧＰＳや基地局を利用してユーザの携帯端末装置が現在位置する場所を特定する情報（緯度・経度、など）を鑑賞エリア特定情報として受付けてもよい。
【００３８】
「映画上演情報特定部」（０３０５）は、入力を受付けた検索条件に合致する映画上演情報を特定するよう構成されている。すなわち、本実施形態の映画上演情報特定部（０３０５）は、鑑賞エリア特定情報受付部（０３０４）が入力を受付けた鑑賞エリア特定情報を取得すると、映画上演情報蓄積部（０３０１）を検索し、入力を受付けた検索条件に合致する映画上演情報を特定する。
【００３９】
具体的には、本実施形態の映画上演情報特定部（０３０５）は、鑑賞エリア特定情報を取得すると、（１）取得した鑑賞エリア特定情報を基に映画を鑑賞するのに適したエリアを特定する。その後、（２）前記特定したエリア内に存在する上演劇場を特定し、（３）特定した上演劇場にかかる映画上演情報を特定する。
【００４０】
ここで、（１）取得した鑑賞エリア特定情報を基に映画を鑑賞するのに適したエリアを特定する手段としては、例えば、鑑賞エリア特定情報として、エリア名称（「銀座」、「有楽町」、「六本木」、「渋谷」、など）の入力を受付けた場合には、各エリア名称にあらかじめ関連付けられているエリアを、映画を鑑賞するのに適したエリアとして特定してもよい。または、鑑賞エリア特定情報として地下鉄・ＪＲなどの駅名や目印となる建物や施設の名称の入力を受付けた場合には、地図データベースなどを利用して、その地下鉄・ＪＲなどの駅、建物、施設などの位置（緯度・経度で示される代表点など）を特定し、特定した位置から所定の距離内のエリア（半径５００ｍ以内のエリア、など）を、映画を鑑賞するのに適したエリアとして特定してもよい。さらに、鑑賞エリア特定情報として、郵便番号の入力を受付けた場合には、その郵便番号で特定されるエリアを、映画を鑑賞するのに適したエリアとして特定してもよい。さらに、鑑賞エリア特定情報として、ユーザの現在位置情報（緯度・経度で特定した地点、など）の入力を受付けた場合には、その地点から所定の距離内のエリア（半径５００ｍ以内のエリア、など）を、映画を鑑賞するのに適したエリアとして特定してもよい。
【００４１】
なお、前記のような手段により特定する映画を鑑賞するのに適したエリアの広さは、受付けた鑑賞エリア特定情報に応じて異なるようにしてもよい。具体的には、都心部など上演劇場が密集しているような地域の場合には、映画を鑑賞するのに適したエリアを狭く特定し、郊外など上演劇場が密集していないような地域の場合には、映画を鑑賞するのに適したエリアを広く特定するようにしてもよい。このようにすることで、映画を鑑賞するのに適したエリア内に存在する上演劇場の特定において、特定する上演劇場の数が多すぎたり、少なすぎたりという弊害を回避することが可能となる。すなわち、検索結果としてユーザに提供する情報の量を適当な量に調整することが可能となる。
【００４２】
次に、（２）前記特定したエリア内に存在する上演劇場を特定する手段としては、例えば、各上演劇場に対してその位置を特徴的に示す代表点（緯度・経度）を付与しておき、各上演劇場の代表点が、映画を鑑賞するのに適したエリア内に存在するか判断することで特定してもよい。または、各上演劇場にその上演劇場が位置するエリアの名称を関連付けておき、鑑賞エリア特定情報として入力を受付けたエリア名称と、各上演劇場のエリア名称が一致するか否か判断することで、特定してもよい。
【００４３】
また、（３）特定した上演劇場にかかる映画上演情報を特定する手段としては、特定した上演劇場の劇場名称、または、住所、または、代表点を利用し、図４に示すような映画上演情報を蓄積したデータベースを検索することで、実現することができる。
【００４４】
「コメント抽出部」（０３０６）は、映画上演情報特定部（０３０５）で特定した映画上演情報の中から、上演劇場と上演作品が同一の映画上演情報群ごとに最近上演終了した映画上演にかかる映画上演情報を特定し、特定した映画上演情報に関連付けて保存されているコメントをコメント保存部から抽出するよう構成されている（以下、「最近上演終了した映画上演にかかる映画上演情報に関連付けて保存されているコメント」を、「タイムリーコメント」という。）。
【００４５】
ここで、「映画上演情報群」とは、上演劇場と上演作品のいずれもが同一の映画上演情報の集まりのことである。「最近上演終了した映画上演」とは、コメント抽出部（０３０６）がコメントの抽出を行う日時を基準にし、前記基準日時に最も近く上演を終了した映画上演のことである。
【００４６】
すなわち、コメント抽出部（０３０６）は、映画上演情報特定部（０３０５）で特定した映画上演情報を、上演劇場と上演作品が同一の映画上演情報群ごとに分類し、分類した映画上演情報群ごとに、最近上演終了した映画上演にかかる映画上演情報を特定する。そして、特定した映画上演情報に関連付けて保存されているコメントを、コメント保存部（０３０３）から抽出することとなる。抽出されたコメントは、以下で説明するコメント出力部（０３０７）に渡される。「最近上演終了した映画上演にかかる映画上演情報を特定する手段」については、例えば、前記映画上演情報群ごとに、映画上演情報群に属する映画上演情報の上演日時情報と、コメント抽出部（０３０６）がコメント抽出を行う際の現在日時情報とを大小比較することで実現することができる。
【００４７】
なお、特定した映画上演情報に関連付けて保存されているコメントがない場合には、前記映画上演情報群ごとに、コメントが関連付けて保存されている映画上演情報の中の、基準日時（コメント抽出部（０３０６）がコメントの抽出を行う日時）に最も近くに上演を終了した映画上演にかかる映画上演情報に関連付けられたコメントを抽出し、コメント出力部（０３０７）に渡すようにしてもよい。または、特定した映画上演情報に関連付けて保存されているコメントがない場合には、その旨を以下で説明するコメント出力部（０３０７）に通知するようにしてもよい。
【００４８】
ここで、「コメント抽出部」（０３０６）が、上演劇場と上演作品が同一の映画上演情報群ごとにタイムリーコメントを抽出するタイミングとしては、例えば、ユーザからのタイムリーコメント出力の指示入力を受付けたのをトリガに行ってもよい。
【００４９】
具体的には、鑑賞エリア特定情報受付部（０３０４）が受付けた鑑賞エリア特定情報を基に、映画上演情報特定部（０３０５）が映画上演情報を特定すると、前記特定した映画上演情報に関連付けられているコメントのみを、タイムリーコメントとして出力の指示入力を受付けることが可能なタイムリーコメント出力インターフェイスデータ（図２、７、など）を、ユーザのＰＣや携帯端末装置などに対して出力する。そして、例えば、図２に示すようなインターフェイスにおいて、ユーザからある上演劇場でのある作品に関するタイムリーコメント出力の指示入力を受付けると、それをトリガに、その上演劇場でのその上演作品に関するタイムリーコメントのみを抽出するようにしてもよい。または、図７に示すようなインターフェイスにおいて、０７０２で示す領域に表示された表中に記載されたある上演劇場でのある上演作品の上演開始時間にカーソル位置を合わせられると、それをトリガに、その上演劇場でのその上演作品に関するタイムリーコメントのみを抽出するようにしてもよい。
【００５０】
なお、前記「特定した映画上演情報に関連付けられているコメントのみを、タイムリーコメントとして出力の指示入力を受付けることが可能なタイムリーコメント出力インターフェイス」とは、例えば、映画上演情報特定部（０３０５）が特定した映画上演情報にかかる上演劇場での上演作品のみを、タイムリーコメント出力インターフェイス内（図２、７、など）に表示するようなものでもよい。すなわち、図２のインターフェイスの場合、「銀座エリア」以外のエリアに存在する上演劇場の上演作品は表示しないようにすることで、タイムリーコメント出力の指示入力を受付けないようにしてもよい。
【００５１】
「コメント出力部」（０３０７）は、コメント抽出部（０３０６）が抽出したコメントを出力するよう構成されている。なお、コメント抽出部（０３０６）が抽出したコメントがない場合には、その旨を示す情報を出力するようにしてもよい。
【００５２】
コメントの表示態様としては特段制限されず、例えば、図２のようなインターフェイスからある上演劇場でのある作品に関するタイムリーコメント出力の指示入力を受付けると、その上演劇場でのその上演作品に関するタイムリーコメントを表形式で一覧表示などしてもよい。または、図７のようなインターフェイスからある上演劇場でのある上演作品の上演開始時間にカーソル位置を合わせることでタイムリーコメント出力の指示入力を受付けると、その上演劇場でのその上演作品に関するタイムリーコメントを吹き出し表示などしてもよい。
<実施形態１のハードウェア構成>
【００５３】
図９は、本実施形態のイベント情報提供装置の上記機能的構成をハードウェアとして実現した際の構成の一例を表す図である。
【００５４】
以下に、図９のハードウェア図を用いて、本実施形態を実現する手段の一例を説明する。図に示すように、本実施形態の「イベント情報提供装置」の「映画上演情報蓄積部」と「コメント受信部」と「コメント保存部」と「鑑賞エリア特定情報受付部」と「映画上演情報特定部」と「コメント抽出部」と「コメント出力部」などを構成する、「ＣＰＵ」（０９０１）、「主記憶装置」（０９０２）、「プログラム記憶装置」（０９０３）、「２次記憶装置」（０９０４）、「インターネットＩ／Ｆ」（０９０５）、「ＨＤＤ」（０９０６）、「バス」（０９０７）などを備えている。
【００５５】
主記憶装置（０９０２）は、プログラム実行中に動的にデータ書換可能な記憶装置である。主記憶装置（０９０２）はプログラム記憶装置（０９０３）に記憶されている検索条件受付プログラムや映画上演情報特定プログラムやタイムリーコメント出力プログラムなどを実行するために必要なスタックやヒープ等のワーク領域を提供する。また主記憶装置（０９０２）は、検索条件の入力を受付けるための検索条件受付インターフェイスデータ、タイムリーコメント出力の指示入力を受付けるためのタイムリーコメント出力インターフェイスデータ、検索条件として入力を受付けた鑑賞エリア特定情報、前記鑑賞エリア情報で特定された映画上演情報、前記映画上演情報を上演劇場と上演作品が同一のグループに分類した映画上演情報群、ユーザからの指示に従い出力するためのタイムリーコメント、などを保持する。
【００５６】
２次記憶装置（０９０４）はプログラム実行中に動的にデータ書換可能な記憶装置であり、装置の電源が切れても、記憶しているデータが消去されない。２次記憶装置（０９０４）は、検索条件の入力を受付けるための検索条件受付インターフェイスデータ、タイムリーコメント出力の指示入力を受付けるためのタイムリーコメント出力インターフェイスデータなどを保持する。
【００５７】
また、ＨＤＤ（０９０６）は、映画上演情報や、映画上演と関連付けて受信したコメントを、映画上演にかかる映画上演情報と関連付けて保存したコメントデータなどを保持する。
【００５８】
以下、本実施形態のイベント情報提供装置が、インターネットＩ／Ｆ（０９０５）を介して、ユーザから検索条件の入力受付け、タイムリーコメントを出力するまでの処理の一例について説明する。
【００５９】
まず、インターネットＩ／Ｆ（０９０５）を介して、「検索条件受付インターフェイスデータ」を出力する指示信号を受信すると、ＣＰＵ（０９０１）は、主記憶装置（０９０２）のワーク領域に展開されている検索条件受付プログラムのインターフェイス出力命令に従い、インターネットＩ／Ｆ（０９０５）を介して、検索条件受付インターフェイスデータを前記指示信号の送信元に送信する。
【００６０】
その後、ユーザが、自己のＰＣや携帯端末装置などを利用して検索条件受付インターフェイスから検索条件として鑑賞エリア特定情報の入力を行うと、イベント情報提供装置のＣＰＵ（０９０１）は、検索条件受付プログラムの検索条件受信命令に従い、インターネットＩ／Ｆ（０９０５）を制御して、ユーザのＰＣや携帯端末装置などから送信されてきた前記鑑賞エリア特定情報を取得し、主記憶装置（０９０２）のデータ領域に格納する。
【００６１】
その後、主記憶装置（０９０２）のワーク領域に展開されている映画上演情報特定プログラムに従い、前記鑑賞エリア特定情報を基に、映画を鑑賞するのに適したエリアを特定すると、そのエリア内に存在するすべての上演劇場を特定する。そして、ＨＤＤ（０９０６）に蓄積されている映画上演情報の中から、前記上演劇場に係るすべての映画上演情報を特定する。その後、特定した映画上演情報に関連付けられているタイムリーコメント出力の指示入力を受付けるためのタイムリーコメント出力インターフェイスデータを、インターネットＩ／Ｆ（０９０５）を介して、ユーザのＰＣや携帯端末装置に対して送信する。
【００６２】
その後、タイムリーコメント出力インターフェイスから、ある上演劇場のある上演作品のタイムリーコメント出力の指示入力を受付けると、主記憶装置（０９０２）のワーク領域に展開されているタイムリーコメント出力プログラムに従い、その上演劇場のその上演作品にかかる映画上演情報の集合である映画上演情報群を特定し、特定した映画上演情報群の中から、最近上演終了した映画上演にかかる映画上演情報を特定する。そして、特定した映画上演情報に関連付けて保存されているコメントを、ＨＤＤ（０９０６）のコメントデータの中から抽出し、インターネットＩ／Ｆ（０９０５）を介して、ユーザのＰＣや携帯端末装置に対して送信する。
【００６３】
なお、前記は、インターネットＩ／Ｆを介して、ユーザのＰＣや携帯端末装置などと通信する手段について説明したが、その他、イベント情報提供装置に「赤外線通信部」や「Ｂｌｕｅｔｏｏｔｈ通信部」などを備え、これらの通信手段を利用して、ユーザの携帯端末装置と通信するようにしてもよい。
<実施形態１の処理の流れ>
【００６４】
本実施形態のイベント情報提供装置のイベント情報提供方法の処理の流れの一例を図１０のフローチャートに示す。
【００６５】
まず、イベント情報提供装置は、インターネットなどを介して、ＰＣや携帯端末装置などのユーザ端末から送信されてきたイベント情報提供サービスを利用する旨の指示信号を受信すると、検索条件として映画を鑑賞するのに適したエリアを特定するための鑑賞エリア特定情報の入力を受付ける検索条件受付インターフェイスデータを前記ユーザに送信する。
【００６６】
そして、前記検索条件受付インターフェイスから、検索条件として、鑑賞エリア特定情報の入力を受付けると（Ｓ１００１）、検索条件に合致する映画上演情報を特定する（Ｓ１００２）。具体的には、鑑賞エリア特定情報を基に、鑑賞するのに適したエリアを特定し、特定したエリアに存在する上演劇場を特定する。その後、前記特定した上演劇場に係る映画上演情報を特定する。
【００６７】
ステップＳ１００３では、前記特定した映画上演情報に関連付けられているコメントのみを、タイムリーコメントとして出力の指示入力を受付けることが可能なタイムリーコメント出力インターフェイスデータをユーザ端末に出力する
【００６８】
その後、タイムリーコメント出力の指示入力を受付けるインターフェイスから、ある上演劇場のある上演作品のタイムリーコメントを出力する指示入力を受付けると（Ｓ１００４）、その上演劇場と上演作品を特定する（Ｓ１００５）。そして、ステップＳ１００２で特定した映画上演情報の中から、ステップＳ１００５で特定した上演劇場と上演作品にかかるすべての映画上演情報（映画上演情報群）を特定する（Ｓ１００６）。
【００６９】
その後、現在日時情報を取得すると（Ｓ１００７）、ステップＳ１００６で特定した映画上演情報群に属するすべての映画上演情報の上演日時と、現在日時情報を大小比較処理し（Ｓ１００８）、最近上演終了した映画上演にかかる映画上演情報を特定する（Ｓ１００９）。そして、ステップＳ１００９で特定した映画上演情報に関連付けて保存されているコメントを抽出すると（Ｓ１０１０）、抽出したコメントをユーザ端末に対して出力する（Ｓ１０１１）。
<実施形態１の発明の効果>
【００７０】
本発明のイベント情報提供装置およびイベント情報提供方法は、ユーザから映画鑑賞をするのに適したエリアを特定するための情報の入力を受付けると、その情報を基に特定したエリア内に存在する上演劇場の上演作品に関するタイムリーな情報のみを提供する。
【００７１】
その結果、ユーザは、有用な情報のみに絞り込まれたタイムリーな情報を利用することで、鑑賞する上演劇場と上演作品を容易に決定することが可能となる。
<<実施形態２>>
<実施形態２の概要>
【００７２】
本実施形態のイベント情報提供装置は実施形態１を基本とし、さらに、映画を鑑賞するのに適したエリアを特定する鑑賞エリア特定情報とともに、映画鑑賞したい日時を示す鑑賞日時情報の入力を受付けるよう構成される。
【００７３】
そして、図２に示すような、各上演劇場での上演作品ごとにタイムリーなコメントを参照可能なインターフェイスを出力する際、鑑賞日時情報で示される日に、鑑賞日時情報で示される時間以降に上演開始する映画上演がある「上演劇場の上演作品」に関するタイムリーなコメントのみを参照可能なインターフェイスを出力することを特徴とする。
【００７４】
このように構成することで、ユーザに提供する情報を、真に必要な情報のみに絞り込むことが可能となる。
<実施形態２の機能的構成>
【００７５】
本実施形態のイベント情報提供装置の機能ブロックの一例を図１１に示す。図１１に示すように、本実施形態の「イベント情報提供装置」（１１００）は、「映画上演情報蓄積部」（１１０１）と、「コメント受信部」（１１０２）と、「コメント保存部」（１１０３）と、「鑑賞エリア特定情報受付部」（１１０４）と、「映画上演情報特定部」（１１０５）と、「コメント抽出部」（１１０６）と、「コメント出力部」（１１０７）と、「鑑賞日時情報受付部」（１１０８）を有する。
【００７６】
以下、本実施形態の「イベント情報提供装置」（１１００）の「映画上演情報特定部」（１１０５）と、「鑑賞日時情報受付部」（１１０８）の機能的構成について説明する。なお、「映画上演情報蓄積部」（１１０１）と、「コメント受信部」（１１０２）と、「コメント保存部」（１１０３）と、「鑑賞エリア特定情報受付部」（１１０４）と、「コメント抽出部」（１１０６）と、「コメント出力部」（１１０７）については、実施形態１と同様であるので、ここでの詳細な説明は省略する。
【００７７】
「鑑賞日時情報受付部」（１１０８）は、検索条件として、映画を鑑賞したい日時を示す鑑賞日時情報の入力を受付けるよう構成されている。鑑賞日時情報の入力受付は、鑑賞日時情報の入力を受付けるためのインターフェイスデータをユーザのＰＣや携帯端末などに出力し、当該インターフェイスから数値の直接入力や、プルダウン選択での入力により受付けてもよい（図７、０７０１など）。または、前記インターフェイスに、「現在日時情報入力」のためのボタンを備えておき、当該ボタンの選択入力を受付けると、それをトリガにイベント情報提供装置内の内蔵時計などから現在日時情報を取得することで、入力を受付けてもよい。すなわち、現在日時情報を鑑賞日時情報として入力を受付けてもよい。
【００７８】
「映画上演情報特定部」（１１０５）は、入力を受付けた検索条件に合致する映画上演情報を特定するよう構成されている。すなわち、本実施形態の映画上演情報特定部（１１０５）は、鑑賞エリア特定情報受付部（１１０４）が入力を受付けた鑑賞エリア特定情報と、鑑賞日時情報受付部（１１０８）が入力を受付けた鑑賞日時情報を取得すると、映画上演情報蓄積部（１１０１）を検索し、入力を受付けた検索条件に合致する映画上演情報を特定する。
【００７９】
具体的には、本実施形態の映画上演情報特定部（１１０５）は、鑑賞エリア特定情報を取得すると、（１）取得した鑑賞エリア特定情報を基に映画を鑑賞するのに適したエリアを特定する。その後、（２）前記特定したエリア内に存在する上演劇場を特定する。そして、（３）前記特定した上演劇場で上演される上演作品の中から、鑑賞日時情報で示される時間以降に上演開始する映画上演がある「上演劇場の上演作品」を特定し、（４）特定した上演劇場の上演作品にかかる映画上演情報を特定する。
【００８０】
なお、前記説明において、「上演劇場の上演作品」としたのは、慣行上、一つの上演作品が複数の上演劇場で上演されるような場合があることを考慮し、このような上演作品を、上演劇場での上演作品ごとに区別するためである。すなわち、「上演劇場の上演作品」を特定する場合、例えば、上演劇場Ａで上演される上演作品「ボンジュール」と、上演劇場Ｂで上演される上演作品「ボンジュール」とは、別のものとして区別される。当該前提は、以下のすべての実施形態において同様である。
【００８１】
ここで、前記（１）取得した鑑賞エリア特定情報を基に映画を鑑賞するのに適したエリアを特定する手段と、（２）前記特定したエリア内に存在する上演劇場を特定する手段については、前記実施形態１と同様であるので、ここでの詳細な説明は省略する。
【００８２】
次に、（３）前記特定した上演劇場で上演される上演作品の中から、鑑賞日時情報で示される時間以降に上演開始する映画上演がある「上演劇場の上演作品」を特定する手段については、例えば、（２）で特定された上演劇場の上演作品における、鑑賞日時情報で示される日のすべての上演の上演開始時間と、鑑賞日時情報で示される時間とを大小比較することで、取得した鑑賞日時情報で示される日に、取得した鑑賞日時情報で示される時間以降に開始する映画上演がある「上演劇場の上演作品」にかかる映画上演情報を特定してもよい。
【００８３】
また、（４）特定した上演劇場の上演作品にかかる映画上演情報を特定する手段としては、特定した上演劇場の劇場名称、または、住所、または、代表点と、特定した上演作品の名称とを利用し、図４に示すような映画上演情報を蓄積したデータベースを検索することで、実現することができる。
<実施形態２のハードウェア構成>
【００８４】
本実施形態のイベント情報提供装置の上記機能的構成をハードウェアとして実現する構成については、実施形態１に準じて実現できる。よって、ここでの詳細な説明は省略する。
<実施形態２の処理の流れ>
【００８５】
本実施形態のイベント情報提供装置のイベント情報提供方法の処理の流れの一例を図１２のフローチャートに示す。
【００８６】
まず、イベント情報提供装置は、インターネットなどを介して、ＰＣや携帯端末装置などのユーザ端末から送信されてきたイベント情報提供サービスを利用する旨の指示信号を受信すると、検索条件として映画を鑑賞するのに適したエリアを特定するための鑑賞エリア特定情報の入力を受付ける検索条件受付インターフェイスデータを前記ユーザに送信する。
【００８７】
そして、前記検索条件受付インターフェイスから、検索条件として、鑑賞エリア特定情報と鑑賞日時情報の入力を受付けると（Ｓ１２０１）、検索条件に合致する映画上演情報を特定する（Ｓ１２０２）。具体的には、鑑賞エリア特定情報を基に、鑑賞するのに適したエリアを特定し、特定したエリアに存在する上演劇場を特定する。その後、特定した上演劇場の上演作品の中から、取得した鑑賞日時情報で示される日に、取得した鑑賞日時情報で示される時間以降に開始する映画上演がある上演作品を特定し、前記特定した上演劇場の上演作品に係る映画上演情報を特定する。
【００８８】
ステップＳ１２０３では、前記特定した映画上演情報に関連付けられているコメントのみを、タイムリーコメントとして出力の指示入力を受付けることが可能なタイムリーコメント出力インターフェイスデータをユーザ端末に出力する
【００８９】
その後、タイムリーコメント出力の指示入力を受付けるインターフェイスから、ある上演劇場のある上演作品のタイムリーコメントを出力する指示入力を受付けると（Ｓ１２０４）、その上演劇場と上演作品を特定する（Ｓ１２０５）。そして、ステップＳ１２０２で特定した映画上演情報の中から、ステップＳ１２０５で特定した上演劇場と上演作品にかかるすべての映画上演情報（映画上演情報群）を特定する（Ｓ１２０６）。
【００９０】
その後、現在日時情報を取得すると（Ｓ１２０７）、ステップＳ１２０６で特定した映画上演情報群に属するすべての映画上演情報の上演日時と、現在日時情報を大小比較処理し（Ｓ１２０８）、最近上演終了した映画上演にかかる映画上演情報を特定する（Ｓ１２０９）。そして、ステップＳ１２０９で特定した映画上演情報に関連付けて保存されているコメントを抽出すると（Ｓ１２１０）、抽出したコメントをユーザ端末に対して出力する（Ｓ１２１１）。
<実施形態２の発明の効果>
【００９１】
本発明のイベント情報提供装置およびイベント情報提供方法は、ユーザから映画鑑賞をするのに適したエリアを特定するための情報と、映画鑑賞したい日時を示す情報の入力を受付けると、その情報を基に特定したエリア内に存在する上演劇場の上演作品であって、映画鑑賞したい日の映画鑑賞したい時間以降に上演開始する映画上演がある上演劇場の上演作品に関するタイムリーな情報のみを提供する。
【００９２】
その結果、ユーザは、有用な情報のみに絞り込まれたタイムリーな情報を利用することで、鑑賞する上演劇場と上演作品を容易に決定することが可能となる。
<<実施形態３>>
<実施形態３の概要>
【００９３】
本実施形態のイベント情報提供装置は実施形態１または２を基本とし、さらに、映画鑑賞するのに適したエリアを特定する鑑賞エリア特定情報とともに、映画を鑑賞するのに適したエリアへ移動を開始する場所及び日時を特定するための移動開始情報の入力を受付けるよう構成される。
【００９４】
そして、図２に示すような、各上演劇場での上演作品ごとにタイムリーなコメントを参照可能なインターフェイスを出力する際、映画鑑賞するのに適したエリアに存在するすべての上演劇場のそれぞれへの到着予測時間以降にその上演劇場において上演がある上演作品に関するタイムリーなコメントのみを参照可能なインターフェイスを出力することを特徴とする。
【００９５】
このように構成することで、ユーザに提供する情報を、真に必要な情報のみに絞り込むことが可能となる。
<実施形態３の機能的構成>
【００９６】
本実施形態のイベント情報提供装置の機能ブロックの一例を図１３に示す。図１３に示すように、本実施形態の「イベント情報提供装置」（１３００）は、「映画上演情報蓄積部」（１３０１）と、「コメント受信部」（１３０２）と、「コメント保存部」（１３０３）と、「鑑賞エリア特定情報受付部」（１３０４）と、「映画上演情報特定部」（１３０５）と、「コメント抽出部」（１３０６）と、「コメント出力部」（１３０７）と、「移動開始情報受付部」（１３０９）を有する。
【００９７】
以下、本実施形態の「イベント情報提供装置」（１３００）の「映画上演情報特定部」（１３０５）と、「移動開始情報受付部」（１３０９）の機能的構成について説明する。なお、「映画上演情報蓄積部」（１３０１）と、「コメント受信部」（１３０２）と、「コメント保存部」（１３０３）と、「鑑賞エリア特定情報受付部」（１３０４）と、「コメント抽出部」（１３０６）と、「コメント出力部」（１３０７）については、実施形態１と同様であるので、ここでの詳細な説明は省略する。
【００９８】
「移動開始情報受付部」（１３０９）は、検索条件として、映画を鑑賞するのに適したエリアへ移動を開始する場所及び日時を特定するための移動開示情報の入力を受付けるよう構成されている。
【００９９】
「映画を鑑賞するのに適したエリアへ移動を開始する場所を特定するための情報」（以下、「移動開始場所情報」という）としては、例えば、「銀座」、「有楽町」、「六本木」、「渋谷」などのエリア名称であってもよいし、または、映画を鑑賞するのに適したエリアに移動を開始する場所の近辺に存在する地下鉄・ＪＲなどの駅名、目印となる建物・施設などの名称であってもよい。または、具体的住所や郵便番号であってもよいし、緯度・経度で特定される地点の情報であってもよい。しかしながら、移動開始場所情報としては、場所をより正確に特定できる情報（緯度・経度、など）であるのが望ましい。
【０１００】
移動開始場所情報の入力の受付は、例えば、入力のためのインターフェイスデータを、ユーザのＰＣや携帯端末装置に出力し、当該インターフェイスから、プルダウン選択や直接入力などの手段により入力を受付けることで実現してもよい。または、携帯端末装置に出力する移動開始場所情報入力のためのインターフェイスに、「現在位置情報入力ボタン」を設けておき、そのボタンの選択入力を受付けると、それをトリガにＧＰＳや基地局を利用して、ユーザの携帯端末装置が現在位置する場所を特定する情報（緯度・経度、など）を移動開始場所情報として受付けてもよい。
【０１０１】
「映画を鑑賞するのに適したエリアへ移動を開始する日時を特定するための情報」（以下、「移動開始日時情報」という）の入力の受付は、例えば、入力のためのインターフェイスを、ユーザのＰＣや携帯端末装置に出力し、当該インターフェイスから、プルダウン選択や直接入力などの手段により入力を受付けることで実現してもよい。または、携帯端末装置に出力する移動開始日時情報入力のためのインターフェイスに、「現在日時情報入力ボタン」を設けておき、そのボタンの選択入力を受付けると、それをトリガに、イベント情報提供装置内の内蔵時計などから現在日時情報を取得することで、入力受付を実現してもよい。
【０１０２】
「映画上演情報特定部」（１３０５）は、入力を受付けた検索条件に合致する映画上演情報を特定するよう構成されている。すなわち、本実施形態の映画上演情報特定部（１３０５）は、鑑賞エリア特定情報受付部（１３０４）が入力を受付けた鑑賞エリア特定情報と、移動開始情報受付部（１３０９）が入力を受付けた移動開始情報を取得すると、映画上演情報蓄積部（１３０１）を検索し、入力を受付けた検索条件に合致する映画上演情報を特定する。
【０１０３】
具体的には、本実施形態の映画上演情報特定部（１３０５）は、鑑賞エリア特定情報を取得すると、（１）取得した鑑賞エリア特定情報を基に映画を鑑賞するのに適したエリアを特定する。その後、（２）前記特定したエリア内に存在する上演劇場を特定する。そして（３）取得した移動開始情報を基に、映画を鑑賞するのに適したエリアへの移動を開始する具体的位置を特定し、（４）特定した具体的位置から出発した際に（直ちに出発、３分後に出発、５分後に出発、などあらかじめ任意に設定可能）、映画を鑑賞するのに適したエリア内に存在するすべての上演劇場のそれぞれに到着する予測時間を算出する。その後、（５）各上演劇場の上演作品ごとに、取得した移動開始情報で示される日に、前記算出した各上演劇場への到着予測時間以降に上演開始する映画上演がある「上演劇場の上演作品」を特定し、（６）特定した上演劇場の上演作品にかかる映画上演情報を特定する。
【０１０４】
ここで、前記（１）取得した鑑賞エリア特定情報を基に映画を鑑賞するのに適したエリアを特定する手段と、（２）前記特定したエリア内に存在する上演劇場を特定する手段については、前記実施形態１と同様であるので、ここでの詳細な説明は省略する。
【０１０５】
次に、（３）取得した移動開始情報を基に、映画を鑑賞するのに適したエリアへの移動を開始する具体的位置を特定する手段については、例えば、取得した情報が「緯度・経度」である地点を具体的に示した情報である場合には、その具体的位置をそのまま移動を開始する具体的位置として特定する。また、取得した情報が地下鉄・ＪＲなどの駅名、目印となる建物・施設などの名称である場合には、その施設などに付された代表点（「その施設の位置を特徴的に示す地点」など）を、移動を開始する具体的位置として特定してもよい。また、取得した情報が、「銀座」、「有楽町」、「六本木」、「渋谷」などのエリア名称、または、住所や郵便番号などである場合には、それらの情報で特定されるエリアの中心地点を、移動を開始する具体的位置として特定してもよい。なお、エリア名称、住所、郵便番号などを基にエリアを特定する手段については、前記（１）取得した鑑賞エリア特定情報を基に映画を鑑賞するのに適したエリアを特定する手段に準じて実現できる。
【０１０６】
次に、（４）特定した具体的位置から、映画を鑑賞するのに適したエリア内に存在するすべての上演劇場のそれぞれに到着する予測時間を算出する手段については、（３）で特定した具体的位置情報と、あらかじめ上演劇場に関連付けられている位置情報（図４参照）を利用し、２点間の距離を算出するなどして実現することができる。なお、従来技術を利用し、地下鉄、ＪＲ、新幹線、飛行機、バスなどの公共機関の利用をも考慮して、算出するようにしてもよい。
【０１０７】
次に、（５）各上演劇場の上演作品ごとに、取得した移動開始情報で示される日に、前記算出した各上演劇場への到着予測時間以降に上演開始する映画上演がある「上演劇場の上演作品」を特定する手段としては、例えば、（２）で特定された上演劇場の上演作品における、移動開始情報で示される日のすべての上演の上演開始時間と、（４）で算出した各上演劇場への到着予測時間とを大小比較することで、取得した移動開始情報で示される日に、算出した各上演劇場への到着予測時間以降に上演開始する映画上演がある「上演劇場の上演作品」を特定してもよい。
【０１０８】
なお、（６）特定した上演劇場の上演作品にかかる映画上演情報を特定する手段については、前記実施形態１に準じて実現できるので、ここでの詳細な説明は省略する。
<実施形態３のハードウェア構成>
【０１０９】
本実施形態のイベント情報提供装置の上記機能的構成をハードウェアとして実現する構成については、実施形態１に準じて実現できる。よって、ここでの詳細な説明は省略する。
<実施形態３の処理の流れ>
【０１１０】
本実施形態のイベント情報提供装置のイベント情報提供方法の処理の流れの一例を図１４のフローチャートに示す。
【０１１１】
まず、イベント情報提供装置は、インターネットなどを介して、ＰＣや携帯端末装置などのユーザ端末から送信されてきたイベント情報提供サービスを利用する旨の指示信号を受信すると、検索条件として映画を鑑賞するのに適したエリアを特定するための鑑賞エリア特定情報の入力を受付ける検索条件受付インターフェイスデータを前記ユーザに送信する。
【０１１２】
そして、前記検索条件受付インターフェイスから、検索条件として、鑑賞エリア特定情報と移動開始情報の入力を受付けると（Ｓ１４０１）、検索条件に合致する映画上演情報を特定する（Ｓ１４０２）。具体的には、鑑賞エリア特定情報を基に、鑑賞するのに適したエリアを特定し、特定したエリアに存在する上演劇場を特定する。そして、移動開始情報を基に、映画を鑑賞するのに適したエリアへの移動を開始する位置を特定すると、前記特定した位置から移動を開始した際に（直ちに出発、３分後に出発、５分後に出発、などあらかじめ任意に設定可能）、前記特定した上演劇場に到着する予測時間を算出する。その後、特定した上演劇場の上演作品ごとに、移動開始情報で示される日に、前記算出した到着予測時間以降に開始する映画上演があるか判別し、開始する映画上演がある「上演劇場の上演作品」にかかる映画上演情報を特定する。
【０１１３】
ステップＳ１４０３では、前記特定した映画上演情報に関連付けられているコメントのみを、タイムリーコメントとして出力の指示入力を受付けることが可能なタイムリーコメント出力インターフェイスデータをユーザ端末に出力する
【０１１４】
その後、タイムリーコメント出力の指示入力を受付けるインターフェイスから、ある上演劇場のある上演作品のタイムリーコメントを出力する指示入力を受付けると（Ｓ１４０４）、その上演劇場と上演作品を特定する（Ｓ１４０５）。そして、ステップＳ１４０２で特定した映画上演情報の中から、ステップＳ１４０５で特定した上演劇場と上演作品にかかるすべての映画上演情報（映画上演情報群）を特定する（Ｓ１４０６）。
【０１１５】
その後、現在日時情報を取得すると（Ｓ１４０７）、ステップＳ１４０６で特定した映画上演情報群に属するすべての映画上演情報の上演日時と、現在日時情報を大小比較処理し（Ｓ１４０８）、最近上演終了した映画上演にかかる映画上演情報を特定する（Ｓ１４０９）。そして、ステップＳ１４０９で特定した映画上演情報に関連付けて保存されているコメントを抽出すると（Ｓ１４１０）、抽出したコメントをユーザ端末に対して出力する（Ｓ１４１１）。
<実施形態３の発明の効果>
【０１１６】
本発明のイベント情報提供装置およびイベント情報提供方法は、ユーザから映画鑑賞するのに適したエリアを特定するための情報と、映画鑑賞するのに適したエリアへ移動を開始する場所及び日時を特定するための情報の入力を受付けると、その情報を基に特定したエリア内に存在する上演劇場の上演作品であって、移動を開始する日に、各上演劇場への到着予測時間以降に上演開始する映画上演がある上演劇場の上演作品に関するタイムリーな情報のみを提供する。
【０１１７】
その結果、ユーザは、有用な情報のみに絞り込まれたタイムリーな情報を利用することで、鑑賞する上演劇場と上演作品を容易に決定することが可能となる。
<<実施形態４>>
<実施形態４の概要>
【０１１８】
本実施形態のイベント情報提供装置は実施形態１または２または３を基本とし、さらに、映画を鑑賞するのに適したエリアを特定する鑑賞エリア特定情報と、映画鑑賞したい日時を示す鑑賞日時情報とともに、映画鑑賞を終了したい日時を示す鑑賞終了日時情報の入力を受付けるよう構成される。
【０１１９】
そして、図２に示すような、各上演劇場での上演作品ごとにタイムリーなコメントを参照可能なインターフェイスを出力する際、鑑賞日時情報で示される日時（例：２００８年１１月２０日１３時００分）以降に開始する上演であって、かつ、鑑賞終了日時情報で示される日時（例：２００８年１１月２０日１５時００分）以前に終了する上演がある「上演劇場の上演作品」に関するタイムリーなコメントのみを参照可能なインターフェイスを出力することを特徴とする。
【０１２０】
このように構成することで、ユーザに提供する情報を、真に必要な情報のみに絞り込むことが可能となる。すなわち、ユーザは、たまたま空いた時間（例：２００８年１１月２０日１３時〜１５時）を利用し、その空いた時間内で観終えることが可能な「上演劇場の上演作品」に関するタイムリーなコメントのみを参照し、鑑賞する映画を決定することができる。
【０１２１】
なお、本実施形態は、請求項２に記載の発明を基にした実施形態の一例であり、請求項２に記載の発明を基にした実施形態２とは別バージョンの実施形態である。
<実施形態４の機能的構成>
【０１２２】
本実施形態のイベント情報提供装置の機能ブロックの一例を図１６に示す。図１６に示すように、本実施形態の「イベント情報提供装置」（１６００）は、「映画上演情報蓄積部」（１６０１）と、「コメント受信部」（１６０２）と、「コメント保存部」（１６０３）と、「鑑賞エリア特定情報受付部」（１６０４）と、「映画上演情報特定部」（１６０５）と、「コメント抽出部」（１６０６）と、「コメント出力部」（１６０７）と、「鑑賞日時情報受付部」（１６０８）を有する。また、「鑑賞終了日時情報取得部」（１６１０）を有してもよい。
【０１２３】
以下、本実施形態の「イベント情報提供装置」（１６００）の「映画上演情報特定部」（１６０５）と、「鑑賞終了日時情報取得部」（１６１０）の機能的構成について説明する。なお、「映画上演情報蓄積部」（１６０１）と、「コメント受信部」（１６０２）と、「コメント保存部」（１６０３）と、「鑑賞エリア特定情報受付部」（１６０４）と、「コメント抽出部」（１６０６）と、「コメント出力部」（１６０７）については、実施形態１と同様であるので、ここでの詳細な説明は省略する。
【０１２４】
「鑑賞終了日時情報取得部」（１６１０）は、検索条件として、映画鑑賞を終了する日時を示す鑑賞終了日時情報を取得するよう構成されている。「鑑賞終了日時情報」を取得する手段としては、例えば、ユーザからの入力を受付けることで実現してもよい。ユーザから入力を受付ける「鑑賞終了日時情報」としては、ユーザが、次の予定の時間（例：友達との待合わせ時間、お目当てのイベントが始まる時間、など）を考慮して、映画の鑑賞を終了しておきたいと希望する時間などが想定される。具体的実現手段としては、鑑賞終了日時情報入力のためのインターフェイスを、ユーザのＰＣや携帯端末装置に出力し、当該インターフェイスから、プルダウン選択や直接入力などの手段により入力を受付けることで実現する手段などが考えられる。
【０１２５】
その他、鑑賞終了日時情報取得部（１６１０）が「鑑賞終了日時情報」を取得する手段としては、例えば、鑑賞日時情報受付部（１６０８）が入力を受付けた映画を鑑賞したい日時を示す「鑑賞日時情報」に、あらかじめ定められた時間を加えた日時情報を取得することで実現してもよい。すなわち、鑑賞日時情報として「２００８年１１月２０日１３時００分」の入力を受付け、あらかじめ定められた時間が「３時間」だった場合、鑑賞終了日時情報取得部（１６１０）は「鑑賞終了日時情報」として、「２００８年１１月２０日１６時００分」を取得することとなる。なお、あらかじめ定められた時間は任意の設計事項であり、前記に限定されるものではない。
【０１２６】
その他、鑑賞終了日時情報取得部（１６１０）が「鑑賞終了日時情報」を取得する手段としては、例えば、鑑賞日時情報受付部（１６０８）が入力を受付けた「鑑賞日時情報」で特定される日の「２４時００分」とした日時情報を取得することで実現してもよい。すなわち、鑑賞日時情報として「２００８年１１月２０日１３時００分」の入力を受付けた場合、鑑賞終了日時情報取得部（１６１０）は「鑑賞終了日時情報」として、「２００８年１１月２０日２４時００分」を取得することとなる。
【０１２７】
「映画上演情報特定部」（１６０５）は、入力を受付けた検索条件に合致する映画上演情報を特定するよう構成されている。すなわち、本実施形態の映画上演情報特定部（１６０５）は、鑑賞エリア特定情報受付部（１６０４）が入力を受付けた鑑賞エリア特定情報と、鑑賞日時情報受付部（１６０８）が入力を受付けた鑑賞日時情報と、鑑賞終了日時情報取得部（１６１０）が取得した鑑賞終了日時情報とを取得すると、映画上演情報蓄積部（１６０１）を検索し、入力を受付けた検索条件に合致する映画上演情報を特定する。
【０１２８】
具体的には、本実施形態の映画上演情報特定部（１６０５）は、鑑賞エリア特定情報を取得すると、（１）取得した鑑賞エリア特定情報を基に映画を鑑賞するのに適したエリアを特定する。その後、（２）前記特定したエリア内に存在する上演劇場を特定する。そして、（３）前記特定した上演劇場で上演される上演作品の中から、鑑賞日時情報で示される日に鑑賞日時情報で示される時間以降に上演開始する映画上演であって、取得した鑑賞終了日時情報で示される日時以前に上演終了する映画上演がある「上演劇場の上演作品」を特定し、（４）特定した上演劇場の上演作品にかかる映画上演情報を特定する。
【０１２９】
ここで、前記（１）取得した鑑賞エリア特定情報を基に映画を鑑賞するのに適したエリアを特定する手段と、（２）前記特定したエリア内に存在する上演劇場を特定する手段については、前記実施形態１と同様であるので、ここでの詳細な説明は省略する。
【０１３０】
次に、（３）前記特定した上演劇場で上演される上演作品の中から、鑑賞日時情報で示される日に鑑賞日時情報で示される時間以降に上演開始する映画上演であって、取得した鑑賞終了日時情報で示される日時以前に上演終了する映画上演がある「上演劇場の上演作品」を特定する手段については、例えば、（２）で特定された上演劇場の上演作品における、鑑賞日時情報で示される日のすべての上演の上演開始時間と、鑑賞日時情報で示される時間とを大小比較することで、取得した鑑賞日時情報で示される日に、取得した鑑賞日時情報で示される時間以降に上演開始する映画上演を特定する。そして、前記特定した映画上演の上演終了日時と、鑑賞終了日時情報で示される日時とを大小比較することで、取得した鑑賞日時情報で示される日に、取得した鑑賞日時情報で示される日時以降に上演開始する映画上演であって、鑑賞終了日時情報で示される日時以前に上演終了する映画上演がある「上演劇場の上演作品」を特定してもよい。
【０１３１】
なお、（４）特定した上演劇場の上演作品にかかる映画上演情報を特定する手段については、前記実施形態１に準じて実現できるので、ここでの詳細な説明は省略する。
【０１３２】
ここで、「取得した鑑賞日時情報で示される日時以降に上演開始する映画上演であって、取得した鑑賞終了日時情報で示される日時以前に上演終了する映画上演」とは、例えば、鑑賞日時情報が「２００８年１１月２０日１３時００分」で、鑑賞終了日時情報が「２００８年１１月２０日１６時００分」だった場合、「２００８年１１月２０日１３時１５分上演開始−２００８年１１月２０日１５時００分上演終了（上演時間１時間４５分）」の上演などが該当する。
【０１３３】
なお、前記は、検索条件として取得した「鑑賞エリア特定情報」と「鑑賞日時情報」と「鑑賞終了日時情報」とを利用し、「鑑賞エリア特定情報で特定される領域内に存在する上演劇場の上演作品」であって、かつ、「鑑賞日時情報で示される日時以降に上演開始し、鑑賞終了日時情報で示される日時以前に上演終了する映画上演がある上演劇場の上演作品」を特定し、タイムリーなコメントの提供などを行う例について説明したが、その他、以下のような「上演劇場の上演作品」を特定し、タイムリーなコメントの提供などを行ってもよい。
【０１３４】
例えば、「鑑賞エリア特定情報」としてユーザの現在位置情報を取得し、「鑑賞日時情報」として現在日時情報を取得する場合には、「鑑賞エリア特定情報で特定される領域（例：現在位置から半径１ｋｍ以内の領域）内に存在する上演劇場の上演作品」であって、かつ、「各上演劇場への到着予測日時以降に上演開始し、鑑賞終了日時情報で示される日時以前に上演終了する映画上演がある上演劇場の上演作品」を特定し、タイムリーなコメントの提供などを行ってもよい。「各上演劇場への到着予測日時」の算出は、鑑賞エリア特定情報として取得した「ユーザの現在位置情報」と、鑑賞日時情報として取得した「現在日時情報」を基に、従来技術を利用して、地下鉄やＪＲなどの公共機関の利用や、徒歩での移動などを考慮し、算出することができる。
<実施形態４のハードウェア構成>
【０１３５】
本実施形態のイベント情報提供装置の上記機能的構成をハードウェアとして実現する構成については、実施形態１に準じて実現できる。よって、ここでの詳細な説明は省略する。
<実施形態４の処理の流れ>
【０１３６】
本実施形態のイベント情報提供装置のイベント情報提供方法の処理の流れの一例を図１７のフローチャートに示す。当該例は、ユーザから鑑賞終了日時情報の入力を受付けるよう構成した場合のイベント情報提供方法の処理の流れである。
【０１３７】
まず、イベント情報提供装置は、インターネットなどを介して、ＰＣや携帯端末装置などのユーザ端末から送信されてきたイベント情報提供サービスを利用する旨の指示信号を受信すると、検索条件として映画を鑑賞するのに適したエリアを特定するための鑑賞エリア特定情報の入力を受付ける検索条件受付インターフェイスデータを前記ユーザに送信する。
【０１３８】
そして、前記検索条件受付インターフェイスから、検索条件として、鑑賞エリア特定情報と鑑賞日時情報と鑑賞終了日時情報の入力を受付けると（Ｓ１７０１）、検索条件に合致する映画上演情報を特定する（Ｓ１７０２）。具体的には、鑑賞エリア特定情報を基に、鑑賞するのに適したエリアを特定し、特定したエリアに存在する上演劇場を特定する。その後、特定した上演劇場の上演作品の中から、鑑賞日時情報で示される日時以降に上演開始し、鑑賞終了日時情報で示される日時以前に上演終了する映画上演がある上演劇場の上演作品を特定する。
【０１３９】
ステップＳ１７０３では、前記特定した映画上演情報に関連付けられているコメントのみを、タイムリーコメントとして出力の指示入力を受付けることが可能なタイムリーコメント出力インターフェイスデータをユーザ端末に出力する
【０１４０】
その後、タイムリーコメント出力の指示入力を受付けるインターフェイスから、ある上演劇場のある上演作品のタイムリーコメントを出力する指示入力を受付けると（Ｓ１７０４）、その上演劇場と上演作品を特定する（Ｓ１７０５）。そして、ステップＳ１７０２で特定した映画上演情報の中から、ステップＳ１７０５で特定した上演劇場と上演作品にかかるすべての映画上演情報（映画上演情報群）を特定する（Ｓ１７０６）。
【０１４１】
その後、現在日時情報を取得すると（Ｓ１７０７）、ステップＳ１７０６で特定した映画上演情報群に属するすべての映画上演情報の上演日時と、現在日時情報を大小比較処理し（Ｓ１７０８）、最近上演終了した映画上演にかかる映画上演情報を特定する（Ｓ１７０９）。そして、ステップＳ１７０９で特定した映画上演情報に関連付けて保存されているコメントを抽出すると（Ｓ１７１０）、抽出したコメントをユーザ端末に対して出力する（Ｓ１７１１）。
<実施形態４の発明の効果>
【０１４２】
本発明のイベント情報提供装置およびイベント情報提供方法は、映画鑑賞するのに適したエリアを特定するための情報と、映画鑑賞したい日時を示す情報と、映画鑑賞を終了したい日時を示す情報を取得すると、その情報を基に特定したエリア内に存在する上演劇場の上演作品であって、「映画鑑賞したい日時以降に上演開始し、映画鑑賞を終了したい日時以前に上演終了する映画上演がある上演劇場の上演作品」に関するタイムリーな情報のみを提供する。
【０１４３】
その結果、ユーザは、有用な情報のみに絞り込まれたタイムリーな情報を利用することで、鑑賞する上演劇場と上演作品を容易に決定することが可能となる。
<<実施形態５>>
<実施形態５の概要>
【０１４４】
本実施形態のイベント情報提供装置は、ユーザの現在位置を示す現在位置情報と、前記現在位置情報を取得した日時を示す現在日時情報とを取得すると、ユーザの現在位置から移動を開始した際に各上演劇場に到着する予測日時を算出し、到着予測日時以降に上演開始する映画上演がある上演劇場の上演作品を特定する。
【０１４５】
そして、図２に示すような、各上演劇場での上演作品ごとにタイムリーなコメントを参照可能なインターフェイスを出力する際、前記特定した上演劇場の上演作品に関するタイムリーなコメントのみを参照可能なインターフェイスを出力することを特徴とする。
【０１４６】
このように構成することで、ユーザに提供する情報を、真に必要な情報のみに絞り込むことが可能となる。
<実施形態５の機能的構成>
【０１４７】
本実施形態のイベント情報提供装置の機能ブロックの一例を図１８に示す。図１８に示すように、本実施形態の「イベント情報提供装置」（１８００）は、「映画上演情報蓄積部」（１８０１）と、「コメント受信部」（１８０２）と、「コメント保存部」（１８０３）と、「映画上演情報特定部」（１８０５）と、「コメント抽出部」（１８０６）と、「コメント出力部」（１８０７）と、「現在位置情報取得部」（１８１１）と、「現在日時情報取得部」（１８１２）を有する。
【０１４８】
以下、本実施形態の「イベント情報提供装置」（１８００）の「映画上演情報特定部」（１８０５）と、「現在位置情報取得部」（１８１１）と、「現在日時情報取得部」（１８１２）の機能的構成について説明する。なお、「映画上演情報蓄積部」（１８０１）と、「コメント受信部」（１８０２）と、「コメント保存部」（１８０３）と、「コメント抽出部」（１８０６）と、「コメント出力部」（１８０７）については、実施形態１と同様であるので、ここでの詳細な説明は省略する。
【０１４９】
「現在位置情報取得部」（１８１１）は、ユーザから送信される現在位置情報を取得するよう構成されている。現在位置情報を取得する手段については、例えば、ユーザの端末装置に現在位置情報入力のためのインターフェイスを出力し、当該インターフェイスから「現在位置情報入力」のための指示入力を受付けると、それをトリガに、ＧＰＳや基地局を利用してユーザの端末装置から、ユーザの端末装置の位置情報（緯度・経度、など）を受信することで実現してもよい。
【０１５０】
「現在日時情報取得部」（１８１２）は、現在位置情報取得時の現在日時情報を取得するよう構成されている。具体的には、現在日時情報取得部（１８１２）は、現在位置情報取得部（１８１１）が現在位置情報を取得すると、それをトリガに、例えば、イベント情報提供装置内に備えられた内蔵時計から、現在日時情報を取得する。なお、現在日時情報を取得する手段については特段制限されず、前記はあくまで一例である。
【０１５１】
「映画上演情報特定部」（１８０５）は、取得した現在位置情報と現在日時情報とに基づいて、ユーザが鑑賞可能な映画上演がある上演劇場の上演作品に関する映画上演情報を特定するよう構成される。すなわち、本実施形態の映画上演情報特定部（１８０５）は、現在位置情報取得部（１８１１）が取得した現在位置情報と、現在日時情報取得部（１８１２）が取得した現在日時情報を取得すると、取得した現在位置情報と現在日時情報とに基づいて映画上演情報蓄積部（１８０１）を検索し、ユーザが鑑賞可能な映画上演がある上演劇場の上演作品に関する映画上演情報を特定する。
【０１５２】
具体的には、本実施形態の映画上演情報特定部（１８０５）は、（１）取得した現在位置情報を基に、現在位置から出発した際に（直ちに出発、３分後に出発、５分後に出発、などあらかじめ任意に設定可能）、各上演劇場に到着する予測日時を算出し、（２）各上演劇場への到着予測日時以降に上演開始する映画上演がある「上演劇場の上演作品」を特定し、（３）特定した「上演劇場の上演作品」にかかる映画上演情報を特定する。
【０１５３】
ここで、（１）取得した現在位置情報を基に、現在位置から出発した際に（直ちに出発、３分後に出発、５分後に出発、などあらかじめ任意に設定可能）、各上演劇場に到着する予測日時を算出する手段については、取得した現在位置情報と、あらかじめ保持しておいた各上演劇場の位置を示す情報（代表点（緯度、経度）など）を利用し、２点間の距離を算出するなどして実現することができる。なお、従来技術を利用し、地下鉄、ＪＲ、新幹線、飛行機、バスなどの公共機関の利用をも考慮して、算出するようにしてもよい。
【０１５４】
次に、（２）各上演劇場への到着予測日時以降に上演開始する映画上演がある「上演劇場の上演作品」にかかる映画上演情報を特定する手段については、例えば、（１）で算出した各上演劇場への到着予測日時と、各上演劇場の上演作品のすべての上演開始日時とを大小比較することで、算出した各上演劇場への到着予測日時以降に上演開始する映画上演がある「上演劇場の上演作品」を特定してもよい。
【０１５５】
なお、前記手段により「上演劇場の上演作品」を特定した場合、特定される「上演劇場の上演作品」が多数になる可能性がある。そこで、前記不都合を回避するため、前記手段により特定した「上演劇場の上演作品」の中から、さらに、以下のような手段により絞り込んだ「上演劇場の上演作品」を特定してもよい。
【０１５６】
例えば、現在日時情報で示される日時から所定時間内に鑑賞可能な映画上演がある「上演劇場の上演作品」を特定してもよい。「鑑賞可能な映画上演」とは、上演劇場への到着予測日時以降に上演開始する映画上演のことである。前記所定時間は、あらかじめ定められた時間であってもよいし、ユーザから入力を受付けてもよい。あらかじめ定める場合には、５分、３０分、１時間、当日中など任意に設計可能である。すなわち、前記所定時間を１時間と設定していた場合、本実施形態の映画上演情報特定部（１８０５）は、現在日時情報で示される日時から１時間以内に上演開始する映画上演がある「上演劇場の上演作品」であって、各上演劇場への到着予測日時以降に上演開始する映画上演がある「上演劇場の上演作品」を特定することとなる。
【０１５７】
または、現在日時情報で示される日時から所定時間内に鑑賞可能な映画上演であって、任意の日時以前に上演終了する映画上演がある「上演劇場の上演作品」を特定してもよい。前記「任意の日時」は、ユーザから入力を受付けた日時であってもよいし、または、現在日時情報で示される日時に、あらかじめ定められた時間（２時間、３時間、３時間３０分、など任意の設計事項）を加えた日時であってもよい。
【０１５８】
なお、（３）特定した上演劇場の上演作品にかかる映画上演情報を特定する手段については、前記実施形態１に準じて実現できるので、ここでの詳細な説明は省略する。
<実施形態５のハードウェア構成>
【０１５９】
本実施形態のイベント情報提供装置の上記機能的構成をハードウェアとして実現する構成については、実施形態１に準じて実現できる。よって、ここでの詳細な説明は省略する。
<実施形態５の処理の流れ>
【０１６０】
本実施形態のイベント情報提供装置のイベント情報提供方法の処理の流れについては、実施形態１から４などに準じて実現できる。よって、ここでの詳細な説明は省略する。
<実施形態５の発明の効果>
【０１６１】
本発明のイベント情報提供装置およびイベント情報提供方法は、ユーザの現在位置情報と、現在位置情報を取得した現在日時情報を取得すると、取得した現在位置情報と現在日時情報とに基づいて、ユーザが鑑賞可能な映画上演がある上演劇場の上演作品に関するタイムリーな情報のみを提供する。
【０１６２】
その結果、ユーザは、有用な情報のみに絞り込まれたタイムリーな情報を利用することで、鑑賞する上演劇場と上演作品を容易に決定することが可能となる。
<<実施形態６>>
<実施形態６の概要>
【０１６３】
本実施形態のイベント情報提供装置は実施形態１から５と同様にして、映画情報以外のその他のイベントに関する情報をも提供する機能を有する。
【０１６４】
例えば、図１に示すように、待ち合わせまで時間があるのでその時間を利用して何らかのイベントに参加しようと思いついたユーザがいたとする。かかる場合、携帯端末装置を利用して本実施形態のイベント情報提供装置と通信し、イベント参加を希望するエリアを特定するための参加エリア情報を入力してイベント検索を行うと、例えば、図１５に示すような、上演場所と上演イベントに関する情報を提示するとともに、イベントごとに、タイムリーなコメントを参照可能なインターフェイスが提供される。
【０１６５】
ユーザは、図１５に示すようなインターフェイスから、各イベントのタイムリーなコメントを参照し、その日の混雑具合やその日の劇場の雰囲気などのタイムリーな情報を取得して、実際に参加するイベントを即断することができる。
<実施形態６の機能的構成>
【０１６６】
本実施形態のイベント情報提供装置の機能ブロック図は、実施形態１から５のいずれか一の機能ブロック図（図３、１１、１３）において、「映画」に代えて「イベント」としたものである。そして、各部の機能的構成については、それらと同様である。よって、ここでの詳細な説明は省略する。
【０１６７】
なお、各部の機能的構成の説明は、前記のように各部の名称中の文言を、「映画」に代えて「イベント」とすることにより、実施形態１から５における各部の機能的構成の説明中の、「映画を鑑賞」に代えて「イベントに参加」とするなど、適宜、適切な文章に変更したものとなる。
<実施形態６のハードウェア構成>
【０１６８】
本実施形態のイベント情報提供装置の上記機能的構成をハードウェアとして実現する構成については、実施形態１に準じて実現できる。よって、ここでの詳細な説明は省略する。
<実施形態６の処理の流れ>
【０１６９】
本実施形態のイベント情報提供装置のイベント情報提供方法の処理の流れは、実施形態１から５に準じて実現できる。よって、ここでの詳細な説明は省略する。
<実施形態６の発明の効果>
【０１７０】
本発明のイベント情報提供装置およびイベント情報提供方法により、ユーザは、複数のイベントの中からいずれのイベントに参加するかを、有用な判断資料を利用して、即断することが可能となる。
【図面の簡単な説明】
【０１７１】
【図１】本発明のイベント情報提供装置の概要を説明するための概念図
【図２】タイムリーコメント出力のためのインターフェイスの一例１
【図３】実施形態１のイベント情報提供装置の機能ブロック図
【図４】映画上演情報を蓄積したテーブルの一例を模式的に示した図
【図５】映画上演と関連付けたコメントを入力するためのインターフェイスの一例１
【図６】映画上演と関連付けたコメントを入力するためのインターフェイスの一例２
【図７】タイムリーコメント出力のためのインターフェイスの一例２
【図８】映画上演情報とコメントを関連付けて蓄積したテーブルの一例を模式的に示した図
【図９】実施形態１のハードウェア構成の一例を示した概念図
【図１０】実施形態１の処理の流れを示すフローチャート図
【図１１】実施形態２のイベント情報提供装置の機能ブロック図
【図１２】実施形態２の処理の流れを示すフローチャート図
【図１３】実施形態３のイベント情報提供装置の機能ブロック図
【図１４】実施形態３の処理の流れを示すフローチャート図
【図１５】タイムリーコメント出力のためのインターフェイスの一例３
【図１６】実施形態４のイベント情報提供装置の機能ブロック図
【図１７】実施形態４の処理の流れを示すフローチャート図
【図１８】実施形態５のイベント情報提供装置の機能ブロック図
【符号の説明】
【０１７２】
０３００        イベント情報提供装置
０３０１        映画上演情報蓄積部
０３０２        コメント受信部
０３０３        コメント保存部
０３０４        鑑賞エリア特定情報受付部
０３０５        映画上演情報特定部
０３０６        コメント抽出部
０３０７        コメント出力部
【図１】
2010128817.tif 000003
【図２】
2010128817.tif 000004
【図３】
2010128817.tif 000005
【図４】
2010128817.tif 000006
【図５】
2010128817.tif 000007
【図６】
2010128817.tif 000008
【図７】
2010128817.tif 000009
【図８】
2010128817.tif 000010
【図９】
2010128817.tif 000011
【図１０】
2010128817.tif 000012
【図１１】
2010128817.tif 000013
【図１２】
2010128817.tif 000014
【図１３】
2010128817.tif 000015
【図１４】
2010128817.tif 000016
【図１５】
2010128817.tif 000017
【図１６】
2010128817.tif 000018
【図１７】
2010128817.tif 000019
【図１８】
2010128817.tif 000020